(57)【要約】      （修正有）【課題】当たっても痛くなく、特別な防具を必要とすることなしにチャンバラを楽しむことが出来て、より簡易な構成を有する、新規な構造の刀剣遊具を提供する。【解決手段】内部に気体が充填される軟質の袋状体１２によって刃部１８と柄部を一体形成した中空の長手形状にすると共に、該袋状体１２を気体が充填された状態で該刃部１８から該柄部に至る寸胴形状として、更に、該柄部の表面に補強外装材１４を重ね合わせて装着した。【選択図】図１
0003146442.tif 000002
【実用新案登録請求の範囲】
【請求項１】
内部に気体が充填される軟質の袋状体によって刃部と柄部が一体形成された中空の長手形状とされており、該袋状体は気体が充填された状態で該刃部から該柄部に至る寸胴形状とされている一方、該柄部の表面には補強外装材が重ね合わされて装着されていることを特徴とする刀剣遊具。
【請求項２】
前記袋状体が、前記刃部から前記柄部に同じ外周形状をもって滑らかに連続する形状とされている請求項１に記載の刀剣遊具。
【請求項３】
前記補強外装材がシート形状とされており、前記柄部の外周面に巻き付けられている請求項１又は２に記載の刀剣遊具。
【請求項４】
所定の長さ寸法を有する複数の棒状体が並列状態で互いに紐で連結されることによって前記補強外装材が形成されており、該補強外装材が該棒状体の長手方向を前記柄部の長手方向に向けた状態で該柄部の表面に装着されている請求項１乃至３の何れか一項に記載の刀剣遊具。
【請求項５】
前記補強外装材の吸水率が５０％以下である請求項１乃至４の何れか一項に記載の刀剣遊具。
【請求項６】
前記袋状体に、該袋状体の内部空間と外部空間を連通する開閉可能な空気栓が設けられている請求項１乃至５の何れか一項に記載の刀剣遊具。
【請求項７】
前記袋状体において前記補強外装材が被される位置に前記空気栓が設けられている請求項６に記載の刀剣遊具。
【請求項８】
前記柄部の最大太さ寸法が、３ｃｍ〜２０ｃｍの範囲内で設定されている請求項１乃至７の何れか一項に記載の刀剣遊具。
【請求項９】
前記刃部が先細形状とされている請求項１乃至８の何れか一項に記載の刀剣遊具。
【請求項１０】
前記刃部の先端部に丸みが与えられている請求項１乃至９の何れか一項に記載の刀剣遊具。
【請求項１１】
前記刃部と前記柄部の間に鍔部材が設けられている請求項１乃至１０の何れか一項に記載の刀剣遊具。
【請求項１２】
前記袋状体が塩化ビニル樹脂、ポリオレフィンの何れかで形成されている請求項１乃至１１の何れか一項に記載の刀剣遊具。
【考案の詳細な説明】
【技術分野】
【０００１】
本考案は、チャンバラに好適に用いることの出来る刀剣遊具に関するものである。
【背景技術】
【０００２】
昔から、チャンバラは子供の遊技として親しまれている。特に近年では、子供の遊技に留まらず、大人の間でも護身術の訓練やスポーツとして広がりつつある。
【０００３】
ところで、チャンバラに用いられる刀剣遊具としては、当たっても痛くないことが要求される。特に子供の間で行なわれるチャンバラの場合には、当たって痛いと子供が無気になったり、怒ってけんかになってしまうおそれもある。
【０００４】
そこで、特許文献１に記載の如き刀剣遊具が提案されている。しかし、特許文献１に記載の刀剣遊具は、当たっても痛くないとは言い難く、防具等の特別な装備が必要とされるのが実情であった。
【０００５】
すなわち、特許文献１に記載の刀剣遊具は、刃の部分が空気が充填された袋状体とされているものの、柄の部分が握り易いように硬質で小径の棒状体とされている。それ故、片手で持って素早く振り回すことが出来て、逆に強く打撃してしまう。また、柄の部分から刃の部分は、境界が段付形状となって刃の部分が大径とされている。そして、柄の部分と刃の部分との間で構造と外径が大きく変化する段差を有することから、その段差部分に応力が集中し易い。それ故、強度を保つために刃の部分もある程度硬くすることが避けられず、当たると痛かった。また、強度を保つために硬質の柄の部分を袋状体の内部にまで延び出させると、刃の部分の強度が大きくなり過ぎて、危険ですらあった。
【０００６】
さらに、異なる材質の袋状体と棒状体を一体化させて且つ袋状体の密閉空気室構造を実現する必要があることから、製造が非常に困難で、製造不良も発生し易かった。また、特許文献１には、柄の部分まで袋状体で一体形成された刀剣遊具も開示されているが、柄の部分が細いことから強度の確保が困難であり、強度を確保しようとすると前述のように刃の部分を含む袋状体の全体を硬くする必要があって、当たっても痛くないとは言い難かった。
【０００７】
【特許文献１】国際公開第９５／２４９５１号パンフレット
【考案の開示】
【考案が解決しようとする課題】
【０００８】
ここにおいて、本考案は上述の如き事情を背景として為されたものであって、その解決課題とするところは、当たっても痛くなく、特別な防具を必要とすることなしにチャンバラを楽しむことが出来て、より簡易な構成を有する、新規な構造の刀剣遊具を提供することにある。
【課題を解決するための手段】
【０００９】
以下、このような課題を解決するために為された本考案の態様を記載する。なお、以下に記載の各態様において採用される構成要素は、可能な限り任意の組み合わせで採用可能である。また、本考案の態様乃至は技術的特徴は、以下に記載のものに限定されることなく、明細書全体および図面に記載され、或いはそれらの記載から当業者が把握することの出来る考案思想に基づいて認識されるものであることが理解されるべきである。
【００１０】
すなわち、本考案の第一の態様は、内部に気体が充填される軟質の袋状体によって刃部と柄部が一体形成された中空の長手形状とされており、該袋状体は気体が充填された状態で該刃部から該柄部に至る寸胴形状とされている一方、該柄部の表面には補強外装材が重ね合わされて装着されていることを、特徴とする。
【００１１】
本態様に従う構造とされた刀剣遊具によれば、内部に気体が充填された袋状体で刃部が形成されており、かかる袋状体が寸胴形状とされていることから、当たったときの衝撃が袋状体で充分に吸収され得て、当たっても痛くなく、高い安全性を得ることが出来る。従って、特別な防具を用いること無しに、安全に楽しむことが出来る。
【００１２】
さらに、寸胴形状とされた袋状体によって柄部が形成されることによって、柄部が大径とされる。これにより、柄部を両手で持つことになると共に、刃部と柄部を含んだ袋状体の全体が太く形成されることによって、それほど速く振り回すことも困難とされる。従って、刃部の速度も抑えられて、当たった際の痛みをより抑えることが可能とされる。
【００１３】
加えて、袋状体が刃部から柄部に至る寸胴形状とされていることから、刃部と柄部の境界部分に応力が集中することを避けることが出来る。それ故、刃部と柄部の境界部分の強度を確保するために袋状体を硬くすることも不要とされて、袋状体を充分に軟質に形成することが出来る。従って、当たった際の痛みを更に軽減することが可能とされている。
【００１４】
なお、本態様における柄部は、内部に気体が充填された軟質の袋状体で大径に形成されていることから、手の力が直接に作用することによって屈曲したりし易くなるおそれがある。そこにおいて、本態様における刀剣遊具においては、柄部に外装補強材が装着されていることによって、柄部の強度が確保されている。これにより、柄部が屈曲するおそれも軽減されており、優れた操作性を得ることが可能とされている。
【００１５】
そして、本態様によれば、上述の如き優れた安全性を有する刀剣遊具を、極めて簡易な構成によって実現することが可能とされているのであり、製造も容易となって、製造不良の発生を抑えることが出来ると共に、製造コストの低減を図ることが出来る。これにより、子供の玩具としても適当な低価格帯で提供することが可能となる。
【００１６】
本考案の第二の態様は、前記第一の態様に係る刀剣遊具において、前記袋状体が、前記刃部から前記柄部に同じ外周形状をもって滑らかに連続する形状とされていることを、特徴とする。
【００１７】
本態様によれば、刃部と柄部の境界部分の強度をより有利に確保することが出来る。その結果、袋状体が刃部と柄部の境界部分で屈曲するおそれをより軽減することが出来ると共に、刃部と柄部の間の強度が確保されることから袋状体をより薄くすることが出来て、当たった時の痛みをより軽減することも出来る。
【００１８】
本考案の第三の態様は、前記第一又は第二の態様に係る刀剣遊具において、前記補強外装材がシート形状とされており、前記柄部の外周面に巻き付けられていることを、特徴とする。
【００１９】
本態様によれば、外装補強材がシート形状とされていることから、柄部の外周に柔軟に沿って巻き付けることが出来る。そして、外挿補強材は、柄部に巻き付けられた状態において、柄部の長手方向では充分な強度が発揮されることから、多少の力を入れても柄部の屈曲等を抑えることが出来る。一方、柄部の周方向では柔軟な変形が許容されることから、任意の場所で任意の曲率で、外力に沿った形状で容易な湾曲変形が許容される。これにより、使用者の手の大きさに応じてその手の内面に沿って特定の湾曲部分が発生し、各使用者の手に馴染ませることが出来る。従って、大量に生産される定型品であっても、使用者各自の手に応じた謂わばオーダーメード品の如き使用性を得ることが可能とされる。
【００２０】
本考案の第四の態様は、前記第一乃至第三の何れか一つの態様に係る刀剣遊具において、所定の長さ寸法を有する複数の棒状体が並列状態で互いに紐で連結されることによって前記補強外装材が形成されており、該補強外装材が該棒状体の長手方向を前記柄部の長手方向に向けた状態で該柄部の表面に装着されていることを、特徴とする。
【００２１】
本態様によれば、外装補強材が柄部の周方向で複数の棒状体に分割されていることから、柄部の周方向での変形がより容易に許容される。これにより、使用者各自の手により柔軟に馴染ませることが出来る。更に、各棒状体の隙間に手が引っ掛かることから、より確実に把持することが出来る。
【００２２】
なお、本態様における外装補強材は、前記第三の態様の如きシート形状とされていても良いし、あるいは、かかるシート形状の両端部分に位置する棒状体を互いに連結することによって、周方向に連続する筒形状とする等しても良い。
【００２３】
また、棒状体としては、長手方向で適当な強度が得られるものであれば何等限定されるものではなく、例えば、プラスチック等の合成樹脂材料、ゴム、或いは竹や葦などの天然材料等が適宜に採用可能である。
【００２４】
本考案の第五の態様は、前記第一乃至第四の何れか一つの態様に係る刀剣遊具において、前記補強外装材の吸水率が５０％以下であることを、特徴とする。
【００２５】
本態様によれば、例えば使用者が手に汗をかいた場合でも、或る程度の吸水率による滑り止め効果を発揮しつつ、過度に汗を吸収して軟質化するようなことを抑えることが出来て、補強外装材の強度を保つことが出来る。なお、より好適には、ＡＳＴＭの試験方法Ｄ５７０における吸水率が１０％以下、更に好適には、５％以下のものが採用される。吸水率が５％以下のものとしては、ナイロン等が例示される。
【００２６】
本考案の第六の態様は、前記第一乃至第五の何れか一つの態様に係る刀剣遊具において、前記袋状体に、該袋状体の内部空間と外部空間を連通する開閉可能な空気栓が設けられていることを、特徴とする。
【００２７】
本態様によれば、空気栓を通じて袋状体内の空気量を調節することによって、刃部を含む袋状体の硬さを調節することが出来る。なお、空気栓としては、従来からビニール玩具等に広く用いられている公知の空気栓が採用可能であり、より好適には、外部から開閉操作可能な蓋部に加えて、内部に気体の排出を阻止する逆止弁が設けられた構造のものが採用される。
【００２８】
本考案の第七の態様は、前記第六の態様に係る刀剣遊具において、前記袋状体において前記補強外装材が被される位置に前記空気栓が設けられていることを、特徴とする。
【００２９】
本態様によれば、空気栓の蓋を外装補強材で覆うことが出来る。これにより、強い外圧が袋状体に掛かった場合でも、空気栓の蓋を外装補強材で押え付けることで、空気栓の蓋が外れてしまうおそれを防止することが出来る。そして、本態様によれば、そのような空気栓の蓋の押付構造を外装補強材を用いて実現することによって、何等特別な部材や操作を必要とすること無しに実現することが可能とされている。
【００３０】
本考案の第八の態様は、前記第一乃至第七の何れか一つの態様に係る刀剣遊具において、前記柄部の最大太さ寸法が、３ｃｍ〜２０ｃｍの範囲内で設定されていることを、特徴とする。
【００３１】
ここにおいて、柄部の太さ寸法とは、柄部の長手方向に直交する方向の寸法をいう。本態様によれば、柄部を使用者が両手を用いて把持する太さに形成することが出来る。これにより、刀剣遊具を素早く振り回すことを困難にすることが出来て、当たっても痛くない刀剣遊具を有利に実現することが出来る。
【００３２】
本考案の第九の態様は、前記第一乃至第八の何れか一つの態様に係る刀剣遊具において、前記刃部が先細形状とされていることを、特徴とする。
【００３３】
本態様によれば、大径とされた刃部の外観を刀剣の形状に似せることが出来る。これにより、使用者に刀剣をよりイメージさせ易くすることが出来て、より楽しませることが出来る。ここにおいて、先細形状としては、側面視において両刃の剣のように上端縁と下端縁の両方が互いに接近せしめられて細くされた形状でも良いし、片刃の剣のように下端縁が上端縁に接近することによって細くされた形状でも良い。
【００３４】
本考案の第十の態様は、前記第一乃至第九の何れか一つの態様に係る刀剣遊具において、前記刃部の先端部に丸みが与えられていることを、特徴とする。このようにすれば、安全性をより高めることが出来る。
【００３５】
本考案の第十一の態様は、前記第一乃至第十の何れか一つの態様に係る刀剣遊具において、前記刃部と前記柄部の間に鍔部材が設けられていることを、特徴とする。
【００３６】
このようにすれば、刀剣のイメージにより近づけることが出来て、使用者をより楽しませることが出来る。ここにおいて、鍔部材としては、硬質の合成樹脂でも良いが、安全性を考慮して、好適にはウレタン等の合成樹脂やゴム等、軟質の部材が採用される。
【００３７】
本考案の第十二の態様は、前記第一乃至第十一の何れか一つの態様に係る刀剣遊具において、前記袋状体が塩化ビニル樹脂、ポリオレフィンの何れかで形成されていることを、特徴とする。
【００３８】
本態様によれば、当たっても痛くない範囲で適当な強度を得ることが出来て、袋状体の形状を有利に保持することが出来ると共に、容易に破れてしまうおそれも軽減することが出来る。なお、ポリオレフィンとしてはポリエチレンやポリプロピレン等が好適に用いられる。
【考案を実施するための最良の形態】
【００３９】
以下、本考案を更に具体的に明らかにするために、本考案の実施形態について、図面を参照しつつ、詳細に説明する。
【００４０】
先ず、図１に、本考案の第一の実施形態としての刀剣遊具１０の左側面を示すと共に、図２に、図１中のＡ矢視である、刀剣遊具１０の下面を示す。刀剣遊具１０は、所定の長さ寸法を有する寸胴形状の袋状体１２に、外装補強材としての柄カバー１４が装着された構造とされている。なお、以下の説明において、先端方向とは図１中における上方をいい、基端方向とは下方をいうものとする。
【００４１】
図３に、袋状体１２の左側面を示すと共に、図４に、袋状体１２の下面を示す。袋状体１２は、内部に空気等の気体が充填されて膨らまされることによって所定の形状が発現される軟質の中空構造体とされている。袋状体１２は、基端部から先端部にかけて略一定の略円形断面形状をもって延び出す長手形状を有しており、特に本実施形態においては、刀剣をイメージし易いように、袋状体１２の先端部１６は、側面視において下端縁部が次第に上端縁部に接近せしめられた滑らかな先細形状とされており、所謂片刃の剣のような外観とされている。更に、袋状体１２の先端縁部には、安全のために、丸みが与えられている。
【００４２】
そして、袋状体１２の先端部側が刃部１８とされる一方、基端部側が柄部２０とされており、これら刃部１８と柄部２０が一体形成されている。ここにおいて、刃部１８と柄部２０は、境界部２２において互いに等しい外周形状をもって、柄部２０から刃部１８に段差無く滑らかに連続して接続されており、これにより、袋状体１２は、全体として寸胴形状とされている。なお、刃部１８と柄部２０の境界部２２の位置は適当に設定可能であるが、好適には、刀剣をイメージし易いように、袋状体１２の長手方向（図３中、上下方向）中間部分からやや基端部寄りに設定されることが好ましい。
【００４３】
また、袋状体１２の柄部２０には、袋状体１２の内部空間と外部空間を連通および遮断するための空気栓２４が設けられている。かかる空気栓２４としては従来からビニール玩具等に用いられる公知の空気栓が適宜に採用可能であり、好適には、外部から開閉操作可能な蓋部に加えて、内部に気体の排出を阻止する逆止弁が設けられた構造のものが採用される。本実施形態においては、かかる空気栓２４によって袋状体１２内の空気量を調節することが可能とされており、これにより、刃部１８を含む袋状体１２の硬さを調節することが可能とされている。また、刀剣遊具１０を使用しない場合には、空気栓２４を通じて袋状体１２内部の空気を排出することによって、刀剣遊具１０を小さく折り畳んで片付けることが可能とされている。但し、空気栓２４は必ずしも必要なものではなく、袋状体１２は密閉構造とされていても良い。
【００４４】
なお、袋状体１２の長手方向寸法は対象とする使用者の年齢層等を考慮して適宜に設定可能であるが、短過ぎると刃部１８と手が近くなって当たったときに痛いおそれがある一方、長過ぎると振り回しが困難となることから、好適には、５０ｃｍ〜１５０ｃｍ、より好適には、７０ｃｍ〜１３０ｃｍの間の適当な長さに設定される。
【００４５】
一方、袋状体１２の太さ寸法についても、対象とする使用者の年齢層等を考慮して適宜に設定可能であるが、当たっても痛くない程度の太さに設定される。なお、太さ寸法とは、袋状体１２の長手方向に直交する方向の寸法をいう。好適には、使用者が両手を用いなければ持つことが出来ない程度に太く形成されて、柄カバー１４を備えた状態で、柄カバー１４に手を回したときに片手が柄カバー１４の外周の２／３を超えない程度の太さ寸法を有することが好ましい。一般的には、柄部２０の最大太さ寸法、即ち、先端部１６を除く袋状体１２の最大太さ寸法は、３ｃｍ〜２０ｃｍ、より好適には、８ｃｍ〜１５ｃｍの間の適当な最大太さ寸法に設定される。
【００４６】
このような袋状体１２は、従来公知のビニール玩具と同様の製造方法によって容易に製造可能であり、例えば、所定形状とされた変形容易な軟質の合成樹脂シートの全外周縁部を互いに溶着することによって好適に形成される。本実施形態における袋状体１２は、２枚の合成樹脂シート２６ａ，２６ｂによって形成されており、一方の合成樹脂シート２６ａにおける柄部２０に対応する位置に空気栓２４が溶着された後に、これら合成樹脂シート２６ａ，２６ｂの全外周縁部が互いに重ね合わされて溶着されることによって形成されている。
【００４７】
ここにおいて、袋状体１２を形成する合成樹脂シート２６ａ，２６ｂとしては、当たっても痛くない程度の柔らかさを有しつつ、容易に破れることの無い程度の強度を有するものが好ましく、好適には、従来からビニール玩具等に用いられている塩化ビニル樹脂や、ポリエチレン、ポリプロピレン等のポリオレフィン等が好適に採用される。また、これら合成樹脂シート２６ａ，２６ｂの溶着についても、従来からビニール玩具等に用いられている溶着方法が適宜に採用可能であり、例えば高周波ウェルダー加工、超音波ウェルダー加工、ヒートシール等が好適に採用され得る。
【００４８】
さらに、このような構造とされた袋状体１２の柄部２０の外周面には、外装補強材としての柄カバー１４が重ね合わされて装着されている。図５に、柄カバー１４を示す。本実施形態における柄カバー１４は簾と同様の構造とされており、複数の棒状体２８が並列状態に配置されて、複数の紐３０によって編まれた全体として矩形のシート形状とされている。ここにおいて、柄カバー１４の幅寸法（図５中、上下方向寸法）は、袋状体１２の柄部２０の長手方向寸法と略等しくされる一方、長さ寸法（図５中、左右方向寸法）は、柄部２０の周方向寸法よりも大きくされている。
【００４９】
棒状体２８の長手方向寸法は、袋状体１２の柄部２０の長手方向寸法と略等しくされている。一方、棒状体２８の最大太さ寸法は、柄部２０の周方向寸法に比して充分に小さくされており、好適には、１ｍｍ〜２０ｍｍ、より好適には、２ｍｍ〜５ｍｍの範囲内に設定される。但し、棒状体２８の長手方向寸法及び最大太さ寸法は、複数の棒状体２８の間で厳密に互いに等しい大きさに揃えられている必要は無い。また、棒状体２８の長手方向に直交する断面形状は、必ずしも円形状である必要は無いのであって、例えば後述の如き竹を用いるような場合等には矩形に近い形状でも良いし、葦を用いるような場合等には不定形状であっても良い。
【００５０】
また、棒状体２８としては、プラスチック等の合成樹脂材料、ゴム、或いは竹や葦などの天然材料等が適宜に採用可能である。そこにおいて、好適には、ＡＳＴＭの試験方法Ｄ５７０における吸水率が５０％以下、より好適には、１０％以下、更に好適には５％以下のものが採用され得、吸水率が５％以下のものとしては、ナイロン等が例示される。このようにすれば、例えば使用者が手に汗をかいた場合でも、棒状体２８が汗を或る程度吸い込むことによって滑り止め効果が発揮されると共に、過度に汗を吸い込んで棒状体２８が軟質化して問題を生じるようなおそれを軽減することが出来る。
【００５１】
このような構造とされた棒状体２８の複数が長手方向両端部の位置を略揃えた状態で互いに並列に並べられて、棒状体２８の長手方向に直交する方向で紐３０に編まれることによって互いに連結されている。本実施形態においては、棒状体２８の長手方向で適当な間隔を隔てた６箇所において、紐３０によって簾と同様の編み方で複数の棒状体２８が互いに連結されている。
【００５２】
そして、図６に示すように、柄カバー１４が、棒状体２８の長手方向を柄部２０の長手方向に向けた状態で、袋状体１２の柄部２０の外周面に重ね合わされて巻き付けられ、固定部材としての固定紐３２（図１および図２参照）によって柄部２０の表面に重ね合わされた状態で固定される。ここにおいて、空気栓２４が柄部２０に位置せしめられていることから、柄部２０に柄カバー１４が巻き付けられることによって、空気栓２４が柄カバー１４で覆われるようになっている。なお、固定部材として、本実施形態では紐が用いられているが、固定部材は何等限定されるものではなく、例えばゴム輪で柄カバー１４を外側から締め付けて固定しても良いし、或いはリュックサック等に広く用いられているような、帯体の両端部に連結具を備えた、長さ調節可能なベルトを用いる等しても良い。更に、そのような固定部材を用いることなく、接着剤を用いて、柄カバー１４を柄部２０の表面から外れないように接着固定する等しても良い。
【００５３】
また、特に本実施形態においては、袋状体１２の境界部２２に、略円環板形状とされた鍔部材３４が外挿されており、刀剣の形状がイメージし易いようにされている。かかる鍔部材３４としては、硬質の部材でも良いが、安全を考慮して、例えばウレタン等の合成樹脂やゴムなどの軟質の部材で形成されていることが好ましい。また、鍔部材３４の外形は装飾上の効果や安全等を考慮して様々な形状が任意に設定可能である。なお、鍔部材３４は、袋状体１２に柄カバー１４が巻き付けられた後に、袋状体１２の先端側から外挿されて境界部２２に位置せしめられても良いし、袋状体１２に柄カバー１４を巻きつける前に境界部２２に外挿されていても良い。但し、鍔部材３４はあくまでも装飾上の部材であり、このような装飾部材は本考案における刀剣遊具において適宜に採用することが可能であって、鍔部材３４は必ずしも必要なものではない。
【００５４】
このような構造とされた刀剣遊具１０は、柄部２０を柄カバー１４の上から把持して使用される。そして、本実施形態における刀剣遊具１０によれば、刃部１８が大径で軟質の袋状体１２で形成されていることから、当たっても痛みがなく、安全に使用することが出来る。従って、特別な防具を用いることなくチャンバラを楽しむことが出来る。
【００５５】
そこにおいて、特に本実施形態においては、柄部２０も大径とされていることによって、使用者は両手で柄部２０を把持することになる。これにより、子供などのように手の力が小さい使用者でも持って振り回すことが容易とされている。また、柄部２０が或る程度太くされていることと相俟って、素早く振り回すことが困難とされており、刃部１８の速度が抑えられることから、当たったときの痛みがより抑えられている。加えて、袋状体１２が刃部１８から柄部２０にかけて同じ外周形状をもって連続する寸胴形状とされていることから、柄部２０と刃部１８との境界部２２の強度も有利に確保され得て、境界部２２で屈曲してしまうようなことも回避されている。これにより、境界部２２の強度を確保するために袋状体１２を厚肉とするようなことも不要とされて、袋状体１２をより軟質に形成することが出来ることから、当たったときの痛みを更に軽減することが可能とされている。
【００５６】
さらに、特に本実施形態においては、柄部２０の外周面に柄カバー１４が装着されており、柄カバー１４を構成する複数の棒状体２８が柄部２０の長手方向に延びるように設けられている。これにより、柄部２０の長手方向の強度が確保されて屈曲が防止され得ると共に、柄部２０の周方向での変形が容易に許容されている。従って、特に手が小さく、僅かな年齢の違いでも大きな差異を生じる子供であっても、各使用者の手に応じて柄部２０が周方向で変形可能とされていることから、柄部２０を各使用者の手に馴染ませることが出来る。これにより、大量に生産される定型品であっても、謂わばオーダーメイド品の如き使用性を与えることが可能とされるのである。そして、特に本実施形態においては、柄カバー１４が複数の棒状体２８が編まれた簾構造とされていることによって、柄部２０の長手方向の強度保持効果と、周方向での変形効果を極めて有利に両立することが可能とされているのである。
【００５７】
また、本実施形態においては、袋状体１２の空気栓２４が、柄カバー１４で覆われている。これにより、空気栓２４を外部から保護することが出来て、激しい動きでも不用意に空気栓２４の蓋が開放されるおそれを軽減することが出来ると共に、柄部２０が強く握られる等して、空気栓２４に袋状体１２の内部から強い圧が掛かったとしても、柄カバー１４で空気栓２４の蓋を押さえ付けることが出来て、空気栓２４の封止状態をより強固に維持することが出来る。更に、本実施形態によれば、かかる空気栓２４の保護構造を、特別な部材や構造を用いることなく、柄カバー１４を袋状体１２に取り付けることによって容易に実現することが可能とされている。
【００５８】
そして、本実施形態における刀剣遊具１０は、極めて簡易な構成を有することから、上述の如き高い安全性と優れた使用性を有する刀剣遊具を、優れたコスト効率をもって安価に提供することが可能となるのである。
【００５９】
以上、本考案の一実施形態について詳述してきたが、これはあくまでも例示であって、本考案は、かかる実施形態における具体的な記載によって、何等、限定的に解釈されるものではなく、例えば以下に例示する各実施形態の如き構造等も、好適に採用され得る。但し、以下に示す各態様はあくまでも例示であって、本考案が以下に記載の如き態様に限定されるものではないことが、理解されるべきである。なお、以下の説明において、上述の第一の実施形態と同様な構造とされた部材および部位については、それぞれ、図中に、第一の実施形態と同一の符号を付することにより、それらの詳細な説明を省略する。
【００６０】
先ず、図７に、本考案の第二の実施形態としての刀剣遊具４０を示す。本実施形態における刀剣遊具４０は、袋状体１２の柄部２０に、円筒形状を有する柄カバー４２が外挿されている。かかる柄カバー４２は、袋状体１２の境界部２２の最大太さ寸法よりも僅かに小さな内径寸法を有すると共に、柄部２０の長手方向寸法と略等しい軸方向（図７中、上下方向寸法）を有する円筒形状とされており、例えばウレタン等の合成樹脂やゴム等の、周方向の変形が許容される部材によって形成されている。
【００６１】
そして、かかる柄カバー４２が柄部２０に対して、境界部２２を僅かに圧縮した状態で外挿されており、境界部２２の復元力によって柄部２０に外挿状態で固定されている。このようにしても、柄カバー４２によって柄部２０の長手方向の強度を確保しつつ、周方向の変形を許容することが出来る。そして、本実施形態から明らかなように、外装補強部材としては、前記第一の実施形態の如きシート形状に限定されるものではなく、筒形状を採用することなども可能である。従って、例えば前記第一の実施形態において、柄カバー１４の長さ方向の両端部に位置する棒状体２８を紐３０で互いに連結して、柄カバー１４を周方向に連続する筒形状とする等しても良い。
【００６２】
さらに、図８に示す本考案の第三の実施形態としての刀剣遊具５０のように、袋状体や外装補強材、および鍔部材に適当な塗装を施すことによって、より刀剣に近い外観を付与することも勿論可能である。なお、本実施形態における刀剣遊具５０は、前記第二の実施形態における刀剣遊具４０（図７参照）に日本刀の外観を模した塗装を施したものである。
【００６３】
また、図９に、本考案の第四の実施形態としての刀剣遊具６０を示す。刀剣遊具６０は、袋状体１２における刃部１８の先端部１６が、全周の外周面が先端方向に行くに連れて互いに刃部１８の中心軸に接近せしめられて、刃部１８の中心軸上で最も細くなる先細形状とされている。このようにすれば、所謂両刃の剣のような外観を与えることが出来る。但し、安全を考慮して、本実施形態における刃部１８においても、最先端部には丸みが付与されていることが好ましい。
【００６４】
なお、袋状体の先細形状は、必ずしも付与される必要は無い。例えば、図１０に示す本考案の第五の実施形態としての刀剣遊具７０のように、袋状体１２を全長に亘って略一定の太さ寸法を有する丸太状の寸胴形状としても良い。このようにすれば、安全性をより高めることが出来て、より低年齢層の児童でも更に安全にチャンバラを楽しむことが出来る。
【００６５】
また、外装補強材の長手方向寸法は、柄部の長手方向寸法と厳密に等しくされている必要はない。例えば、図１１に示す本考案の第六の実施形態としての刀剣遊具８０のように、柄カバー１４を構成する棒状体２８の長手方向寸法を、柄部２０の長手方向寸法よりもやや短くして、柄カバー１４の柄部２０への装着状態で、柄部２０の基端部を柄カバー１４から突出せしめる等しても良い。このようにすれば、刀剣遊具８０の基端部も軟質の袋状体１２で形成されることから、安全性がより高められる。更に、柄部２０における柄カバー１４からの突出部分を、柄カバー１４が装着されていない自由状態下で柄カバー１４が重ね合わされる部分より太く形成することによって、柄カバー１４を抜け難くすることも出来る。
【００６６】
また、前記各実施形態においては、刃部１８と柄部２０が境界部２２において互いに等しい外周形状をもって、刃部１８から柄部２０にかけて段差無く滑らかに接続されていたが、袋状体１２の寸胴形状を損なわない範囲で、刃部１８と柄部２０の外周形状が僅かに異ならされていても良い。従って、例えば、刃部１８と柄部２０の間に僅かな段差が形成されていても良い。
【００６７】
その他、一々列挙はしないが、本考案は、当業者の知識に基づいて種々なる変更，修正，改良等を加えた態様において実施され得るものであり、また、そのような実施態様が、本考案の趣旨を逸脱しない限り、何れも、本考案の範囲内に含まれるものであることは、言うまでもない。
【図面の簡単な説明】
【００６８】
【図１】本考案の第一の実施形態としての刀剣遊具を説明するための左側面モデル図。
【図２】同刀剣遊具の下面モデル図。
【図３】同刀剣遊具を構成する袋状体説明するための左側面モデル図。
【図４】同袋状体の下面モデル図。
【図５】図１に示した刀剣遊具を構成する外装補強材の展開状態を示すモデル図。
【図６】同外装補強材の取付方法を説明するための左側面モデル図。
【図７】本考案の第二の実施形態としての刀剣遊具を説明するための左側面モデル図。
【図８】本考案の第三の実施形態としての刀剣遊具を説明するための左側面モデル図。
【図９】本考案の第四の実施形態としての刀剣遊具を説明するための左側面モデル図。
【図１０】本考案の第五の実施形態としての刀剣遊具を説明するための左側面モデル図。
【図１１】本考案の第六の実施形態としての刀剣遊具を説明するための左側面モデル図。
【符号の説明】
【００６９】
１０：刀剣遊具、１２：袋状体、１４：柄カバー、１８：刃部、２０：柄部、２２：境界部
【図１】
0003146442.tif 000003
【図２】
0003146442.tif 000004
【図３】
0003146442.tif 000005
【図４】
0003146442.tif 000006
【図５】
0003146442.tif 000007
【図６】
0003146442.tif 000008
【図７】
0003146442.tif 000009
【図８】
0003146442.tif 000010
【図９】
0003146442.tif 000011
【図１０】
0003146442.tif 000012
【図１１】
0003146442.tif 000013